(57)【特許請求の範囲】
【請求項１】
開口部を遮蔽する扉本体部と、前記開口部周縁に形成された溝部と、前記扉本体部の各辺内に収納され、該辺内から前記溝部に対して出没して、前記開口部周縁と前記扉本体部周縁の間の隙間を閉鎖する遮蔽プレートとを少なくとも有する全周遮蔽扉装置において、
前記扉本体部に固定される回動支点と、前記遮蔽プレートの一方の端部に装着される第１の結合部と、該遮蔽プレートと隣り合う遮蔽プレートの他方の端部に装着される第２の結合部とを有するクランクプレートを、前記各辺のそれぞれの接合部近傍に設けて、すべての遮蔽プレートを連動させ、
一つの遮蔽プレートを出没させることによって、すべての遮蔽プレートが同時に出没すると共に、
前記遮蔽プレートは、遮蔽プレートの扉本体部への没入時に、隣り合う辺の遮蔽プレートと重複する構造を有することを特徴とする全周遮蔽扉装置。
【請求項２】
前記遮蔽プレートの一つを出没させるレバーハンドルを具備することを特徴とする請求項１記載の全周遮蔽扉装置。
【請求項３】
前記遮蔽プレートの一つを突出方向に付勢する付勢手段を具備することを特徴とする請求項１又は２記載の全周遮蔽扉装置。
【請求項４】
前記遮蔽プレートを没入状態に保持するロック機構を具備すると共に、該ロック機構は、扉本体部が開口部を閉鎖する時に解除されることを特徴とする請求項１〜３のいずれか一つに記載の全周遮蔽扉装置。
【請求項５】
前記扉本体部の下辺の遮蔽プレートには、上下に移動可能なアジャスタ部が設けられることを特徴とする請求項１〜４のいずれか一つの記載の全周遮蔽扉装置。
【請求項６】
前記遮蔽プレートの突出位置を保持するロック装置を具備することを特徴とする請求項１〜５のいずれか一つに記載の全周遮蔽扉装置。
【発明の詳細な説明】
【０００１】
【発明が属する技術分野】
この発明は、通路、窓、出入り口等の開口部を閉鎖する全周遮蔽扉装置であって、扉本体部と前記開口部との間を遮蔽する遮蔽プレートを具備するものに関する。
【０００２】
【従来の技術】
特許文献１に開示されるドア装置の密閉構造は、ドア装置における扉の上下の隙間を密閉するためのもので、ドア装置の扉の上貫又は下貫の長手方向に沿って延伸するように嵌着溝を形成し、この嵌着溝内に鞘部材と、内端がこの鞘部材内に装着され、外端が装着部材から露出する密閉プレートと、この密閉プレートの外端を付勢力によってドアの額縁のトランサム又は敷居に対して弾性的に接触させる弾性部材とによって構成されるものである。
【０００３】
このような密閉構造は、扉の全周にわたって扉と開口部周縁との間の隙間を閉鎖することが不可能であり、また弾性部材による弾性接触の場合、扉の移動方向に沿って弾性部材が撓むことから、一方向の遮蔽性は高くても、反対方向の遮蔽性が悪いという不具合がある。
【０００４】
このため、本出願人は、特許文献２において、開閉扉部の閉扉に伴って四方に突出して閉鎖プレートと、閉鎖プレートと連動して四隅に飛び出すカバープレートを具備する全周遮蔽扉装置を開示した。
【０００５】
【特許文献１】
特開平９−４９３７６号公報
【特許文献２】
特開２００２−２１３１５５号公報
【０００６】
【発明が解決しようとする課題】
しかしながら、特許文献２に開示した発明は、扉の全周を確実の閉鎖できるという利点を有していたが、機構が複雑であり、部品点数が多かった。
【０００７】
このため、本出願人は、この発明において、簡易な構造で、動作が確実であると共に、部品点数を少なくした全周遮蔽扉装置を提供することを目的とする。
【０００８】
【課題を解決するための手段】
したがって、この発明は、開口部を遮蔽する扉本体部と、前記開口部周縁に形成された溝部と、前記扉本体部の各辺内に収納され、該辺内から前記溝部に対して出没して、前記開口部周縁と前記扉本体部周縁の間の隙間を閉鎖する遮蔽プレートとを少なくとも有する全周遮蔽扉装置において、前記扉本体部に固定される回動支点と、前記遮蔽プレートの一方の端部に装着される第１の結合部と、該遮蔽プレートと隣り合う遮蔽プレートの他方の端部に装着される第２の結合部とを有するクランクプレートを、前記各辺のそれぞれの接合部近傍に設けて、すべての遮蔽プレートを連動させ、一つの遮蔽プレートを出没させることによって、すべての遮蔽プレートが同時に出没すると共に、遮蔽プレートの扉本体部への没入時に、隣り合う辺の遮蔽プレートと重複する構造を有することにある。
【０００９】
さらに、前記遮蔽プレートの一つを出没させるレバーハンドルを具備することが望ましい。
【００１０】
さらにまた、前記遮蔽プレートの一つを突出方向に付勢する付勢手段を具備することが望ましい。
【００１１】
また、前記遮蔽プレートを没入状態に保持するロック機構を具備すると共に、該ロック機構は、扉本体部が開口部を閉鎖する時に解除されることが望ましい。
【００１２】
さらに、前記扉本体部の下辺の遮蔽プレートには、上下に移動可能なアジャスタ部が設けられることが望ましい。
【００１３】
さらにまた、前記遮蔽プレートの突出位置を保持するロック装置を具備することが望ましい。
【００１４】
【発明の実施の形態】
以下、この発明の実施の形態について図面により説明する。
【００１５】
本願発明の実施の形態に係る全周遮蔽扉装置１は、図１で示すように、通路、窓、出入り口等の開口部を遮蔽する扉本体部２と、図３及び図４で示される前記開口部周縁に形成された溝部２１，２３，２５，２７と、前記扉本体部２の各辺内に収納され、該辺内から前記溝部２１，２３，２５，２７に対して出没して、前記開口部周縁と前記扉本体部２の周縁の間の隙間を閉鎖する遮蔽プレート３，４，５，６とによって少なくとも構成される。
【００１６】
また、それぞれの遮蔽プレート３，４，５，６は、図１で示すように、遮蔽プレート３，４，５，６が扉本体部２に没入された状態において、それぞれの遮蔽プレート３，４，５，６の両端部が重複するように形成される。具体的には、一方の遮蔽プレートの端部が、他方の遮蔽プレートの端部に外嵌するようにして重複し、遮蔽プレート３，４，５，６の突出に伴う辺の長さの増大に対応するようになっている。
【００１７】
さらに、それぞれの遮蔽プレート３，４，５，６は、お互いがクランクプレート７によって連結される。この実施の形態において、前記クランクプレート７は、一方の遮蔽プレートに固定される第１の結合部７ａと、隣り合う他方の遮蔽プレートに固定される第２の結合部７ｂと、前記扉本体部２に固定される回動支点部７ｃとが、回動支点部７ｃを頂点とする二等辺三角形を構成するように配置されることを特徴とするものである。これによって、各遮蔽プレート３，４，５，６の突出量を同じにすることができる。また、隣合う遮蔽プレートの突出量を変化させた場合には、回動支点部７ｃからの距離を変えることによって対応できる。この場合は、前記三角形は二等辺三角形とはならない。
【００１８】
これによって、図３に示すように、遮蔽プレート３，４，５，６の一つを扉本体部２に対して出没させることによって、各クランクプレート３が同時に回動するため、残りの遮蔽プレートも動作させた遮蔽プレートと同期して扉本体部２に対する出没することができるものである。
【００１９】
これによって、図３及び図４に示すように、全周遮蔽扉装置１の開扉時（図３（ａ）及び図４（ａ））において、前記遮蔽プレート３，４，５，６は、扉本体部２内に没入した状態であるため、扉本体部２は、移動可能（開閉可能）な状態となるものである。また、全周遮蔽扉装置１の閉扉時（図３（ｂ）及び図４（ｂ））においては、前記遮蔽プレート３，４，５，６が、扉本体部２から突出して各々の周壁部２０，２２，２４，２６に形成された溝部２１，２３，２５，２７に噛合するため、開口部全体が遮蔽されると共に、扉の前後を完全に遮断することができるものである。尚、図４において、２８，２９は扉本体部２の回動支点となるピポットヒンジである。
【００２０】
また、本願発明の全周遮蔽扉装置１には、図５（ａ），（ｂ），（ｃ），（ｄ）で示すように、下遮蔽プレート６の出没に対応して出没すると共に、上下方向に移動可能なアジャスタ８が設けられる。このアジャスタ８は、辺方向の長さを調整可能とするために、辺方向の所定長さで重複した部分を有する２つの部品から構成される。また、前記アジャスタ８は、前記下遮蔽プレート６に対して上下方向に移動可能とするために形成された縦カム孔８１，８２，８３と、前記辺方向の長さを調整可能とするための横カム孔８７，８８を有し、それぞれのカム孔８１，８２，８３，８７，８８には、前記下遮蔽プレート６から突出するピン８４，８５，８６，８９が嵌合するものである。
【００２１】
これによって、下周壁部（床部）２６上に障害物３０がある場合に、アジャスタ８によって障害物３０の高さが吸収されるため、下遮蔽プレート６の動作が阻害されないため、他の遮蔽プレート３，４，５の突出動作の障害とならないものである。
【００２２】
また、図６で示すように、全周遮蔽扉装置１には、遮蔽プレート３，４，５，６を突出させ、且つ没入させるために、レバーハンドル９が設けられる。このレバーハンドル９は、前記遮蔽プレート３に回動自在に固定された動作支点９ａを、回動支点９ｂを支点として移動させて遮蔽プレート３を出没させるもので、この遮蔽プレート３を出没させることによって、この遮蔽プレート３とクランクプレート７を介して連結される遮蔽プレート４，５，６を連動させるものである。また、回動支点９ｂには、復帰バネを設けても良いものである。
【００２３】
さらに、遮蔽プレート３と扉本体部２の間には、遮蔽プレート３を扉本体部２から突出する方向に付勢する付勢手段としてのスプリング１０が設けられ、下記するロック機構の解除によって自動的に遮蔽プレート３，４，５，６を突出させることができるようになっているものである。
【００２４】
また、本願発明の全周遮蔽扉装置１は、ロック装置１１が設けられる。このロック装置１１は、通常のシリンダ錠を用いるもので、シリンダ錠１１の鍵１１ｂをかけることによってデッドボルト１１ａが突出し、前記遮蔽プレート３の没入を阻止するため、すべての遮蔽プレート３，４，５，６が突出位置に保持され、溝部２１，２３，２５，２７に噛合したままとなり、全周遮蔽扉装置１がロックされるものである。また、ロック装置１１のロックを解除することにより、遮蔽プレート３が没入自由となり、レバーハンドル９によって開閉自在となるものである。
【００２５】
また、図７で示すように、ロック機構は、遮蔽プレート４に設けられており、扉本体部２の外側フレームに開口したロック孔４０に、遮蔽プレート４の没入に伴って閂ロッド４１が突出するために、遮蔽プレート３，４，５，６は没入位置に保持される。このロック機構の解除装置５０は、前記上周壁部２５に設けられ、前記ロック孔４０に対応する位置に突出する解除ロッド５１を有する。これによって、全周遮蔽扉装置１が閉鎖位置に移動してきた場合、前記解除ロッド５１が前記ロック孔４０内に挿通し、前記閂ロッド４１を前記遮蔽プレート４内に押し込むことから、ロックが解除され、前記遮蔽プレート３，４，５，６は自動的に突出することができるものである。
【００２６】
【発明の効果】
以上説明したように、この発明によれば、クランクプレートによって遮蔽プレートを連動させたことによって、遮蔽プレートを出没させる力の伝達が円滑に行われることから、簡単な構造で、全周遮蔽扉装置の開閉を確実に行うことができるようになった。
【００２７】
また、部品点数を削減することができたため、大幅なコストダウンを達成できるものである。
【図面の簡単な説明】
【図１】本願発明の実施の形態に係る全周遮蔽扉装置の扉本体部の全体構成図である。
【図２】本願発明の全周遮蔽扉装置の動作を説明した説明図である。
【図３】（ａ）は、全周遮蔽扉装置の遮蔽プレートの没入時を示した平面説明図であり、（ｂ）は、全周遮蔽扉装置の遮蔽プレートの突出時を示した平面説明図である。
【図４】（ａ）は、全周遮蔽扉装置の遮蔽プレートの没入時を示した側面説明図であり、（ｂ）は、全周遮蔽扉装置の遮蔽プレートの突出時を示した側面説明図である。
【図５】（ａ）〜（ｄ）は、下遮蔽プレートとアジャスタの動作の状態を示した説明図である。
【図６】全周遮蔽扉装置のレバーハンドル近傍の説明図である。
【図７】（ａ），（ｂ）は、ロック機構の説明図である。
【符号の説明】
１  全周遮蔽扉装置
２  扉本体部
３，４，５，６  遮蔽プレート
７  クランクプレート
８  アジャスタ
９  レバーハンドル
１０  スプリング
１１  ロック装置
２０，２２，２４，２６  周壁部
２１，２３，２５，２７  溝部
【図１】
0003682656.tif 000002
【図２】
0003682656.tif 000003
【図３】
0003682656.tif 000004
【図４】
0003682656.tif 000005
【図５】
0003682656.tif 000006
【図６】
0003682656.tif 000007
【図７】
0003682656.tif 000008